(57)【要約】 【課題】各種情報を良好に表示できる出力装置を提供する。【解決手段】出力装置１００は、表示面２３１を有するメイン表示部２３０と、表示面２３１の外縁に配設された各ＬＥＤ２４２，２４３，２４４を有するサブ表示部２４０と、を備えている。出力装置１００は、ＴＳ受信部にてＴＳを取得して処理部へ出力する。処理部は、ＴＳ受信部からのＴＳに含まれるデータ放送用データを適宜取得して、データ放送用データの例えば連動テキストデータに特定の地点の天候が晴れである旨を示す文字列が含まれていることを認識すると、晴れを表す簡易的な簡易画像をサブ表示部２４０で表示させる。【選択図】  図１
2006023677.tif 000002
【特許請求の範囲】
【請求項１】
第１の表示領域を有する第１の表示手段と、
前記第１の表示領域の外縁の少なくとも一部に隣接された第２の表示領域を有する第２の表示手段と、
画像データを取得する画像データ取得手段と、
所定の状態に関する状態関連情報を取得する状態関連情報取得手段と、
前記画像データを前記第１の表示領域に表示させるとともに、前記状態関連情報の状態に対応する簡易的な画像を前記第２の表示領域に表示させる制御をする表示制御手段と、
を具備したことを特徴とした表示装置。
【請求項２】
請求項１に記載の表示装置であって、
前記簡易的な画像を表示させるための簡易画像情報を前記状態関連情報の状態に関連付けて記憶する簡易画像情報記憶手段を具備し、
前記表示制御手段は、前記状態関連情報の状態に対応する前記簡易画像情報を前記簡易的な画像として表示させる制御をする
ことを特徴とした表示装置。
【請求項３】
請求項１または請求項２に記載の表示装置であって、
前記簡易的な画像は、表示形態における明度、色相および彩度のうちの少なくともいずれか１つが前記状態関連情報の状態に対応した形態で表示される画像である
ことを特徴とした表示装置。
【請求項４】
請求項１ないし請求項３のいずれかに記載の表示装置であって、
前記簡易的な画像は、表示形態における表示の大きさおよび数のうちの少なくともいずれか一方が前記状態関連情報の状態に対応した形態で表示される画像である
ことを特徴とした表示装置。
【請求項５】
請求項１ないし請求項４のいずれかに記載の表示装置であって、
前記第２の表示手段は、前記第２の表示領域に配設された複数の発光手段を備え、
前記表示制御手段は、前記発光手段を選択的に発光させることにより前記簡易的な画像を前記第２の表示領域に表示させる制御をする
ことを特徴とした表示装置。
【請求項６】
請求項５に記載の表示装置であって、
前記第２の表示手段は、前記第２の表示領域に前記簡易的な画像を表示可能に配設された複数のＬＥＤ（Light Emitting Diode）を前記複数の発光手段として備え、
前記表示制御手段は、前記ＬＥＤを選択的に発光させることにより前記簡易的な画像を前記第２の表示領域に表示させる制御をする
ことを特徴とした表示装置。
【請求項７】
請求項５または請求項６に記載の表示装置であって、
前記複数の発光手段は、赤色に発光する複数の赤色発光手段、緑色に発光する複数の緑色発光手段および青色に発光する複数の青色発光手段であり、
前記表示制御手段は、前記赤色発光手段、前記緑色発光手段および前記青色発光手段の発光状態を制御することにより前記簡易的な画像の表示形態における色相および彩度のうちの少なくともいずれか一方を設定する制御をする
ことを特徴とした表示装置。
【請求項８】
請求項１ないし請求項７のいずれかに記載の表示装置であって、
前記第１の表示領域および前記第２の表示領域は、略同一面に臨む状態で配設されている
ことを特徴とした表示装置。
【請求項９】
請求項８に記載の表示装置であって、
前記第１の表示領域を支持する筐体を備え、
前記第２の表示領域は、前記筐体における前記第１の表示領域が臨む面に配設されている
ことを特徴とした表示装置。
【請求項１０】
請求項１ないし請求項９のいずれかに記載の表示装置であって、
前記状態関連情報取得手段は、前記画像データとともに配信される前記状態関連情報を取得する
ことを特徴とした表示装置。
【請求項１１】
請求項１０に記載の表示装置であって、
前記状態関連情報は、前記画像データで示される状態がＢＭＬ（Broadcast Markup Language）で記載された情報である
ことを特徴とした表示装置。
【請求項１２】
請求項１０または請求項１１に記載の表示装置であって、
前記状態関連情報は、前記画像データで示される状態とは異なる状態がＢＭＬで記載された情報である
ことを特徴とした表示装置。
【請求項１３】
請求項１ないし請求項１２のいずれかに記載の表示装置であって、
前記状態関連情報の状態は、天候、スポーツの試合、交通および株価のうちの少なくともいずれか１つの状態である
ことを特徴とした表示装置。
【請求項１４】
請求項１ないし請求項１３のいずれかに記載の表示装置と、
前記状態関連情報の状態に対応する簡易的な音を音出力手段から出力させる制御をする音出力制御手段と、
を具備したことを特徴とした出力装置。
【請求項１５】
第１の表示領域を有する第１の表示手段を設け、
前記第１の表示領域の外縁の少なくとも一部に隣接された第２の表示領域を有する第２の表示手段を設け、
画像データを取得し、
所定の状態に関する状態関連情報を取得し、
前記画像データを前記第１の表示領域に表示させるとともに、前記状態関連情報の状態に対応する簡易的な画像を前記第２の表示領域に表示させる制御をする
ことを特徴とする表示方法。
【発明の詳細な説明】
【技術分野】
【０００１】
本発明は、各種情報を表示させる表示装置、出力装置、および、表示方法に関する。
【背景技術】
【０００２】
従来、スポーツの進行状況を示す画像を例えば携帯電話などの端末装置に提供するスポーツ情報提供方法が知られている（例えば、特許文献１参照）。
【０００３】
この特許文献１に記載のものは、情報提供会社にて、テレビモニタに映し出されるスポーツの試合の進行状況に基づいて、試合の各場面を表すアニメーション画像を作成する。そして、情報提供会社は、端末装置による例えば「Ｔの攻撃のみ見る」の選択入力に基づいて、この選択入力された場面に対応するアニメーション画像を端末装置へ送信する。
【０００４】
【特許文献１】特開２００３−６０８１１号公報（第２頁右欄−第５頁右欄）
【発明の開示】
【発明が解決しようとする課題】
【０００５】
しかしながら、上述した特許文献１に記載のようなスポーツ情報提供方法では、端末装置の利用者は、アニメーション画像を凝視しないと試合の進行状況を認識できないおそれがある。このため、各種情報を容易に認識できる構成が望まれている。
【０００６】
本発明の目的は、このような実情に鑑みて、各種情報を良好に表示可能な表示装置、出力装置、および、表示方法を提供することである。
【課題を解決するための手段】
【０００７】
請求項１に記載の発明は、第１の表示領域を有する第１の表示手段と、前記第１の表示領域の外縁の少なくとも一部に隣接された第２の表示領域を有する第２の表示手段と、画像データを取得する画像データ取得手段と、所定の状態に関する状態関連情報を取得する状態関連情報取得手段と、前記画像データを前記第１の表示領域に表示させるとともに、前記状態関連情報の状態に対応する簡易的な画像を前記第２の表示領域に表示させる制御をする表示制御手段と、を具備したことを特徴とした表示装置である。
【０００８】
請求項１４に記載の発明は、請求項１ないし請求項１３のいずれかに記載の表示装置と、前記状態関連情報の状態に対応する簡易的な音を音出力手段から出力させる制御をする音出力制御手段と、を具備したことを特徴とした出力装置である。
【０００９】
請求項１５に記載の発明は、第１の表示領域を有する第１の表示手段を設け、前記第１の表示領域の外縁の少なくとも一部に隣接された第２の表示領域を有する第２の表示手段を設け、画像データを取得し、所定の状態に関する状態関連情報を取得し、前記画像データを前記第１の表示領域に表示させるとともに、前記状態関連情報の状態に対応する簡易的な画像を前記第２の表示領域に表示させる制御をすることを特徴とする表示方法である。
【発明を実施するための最良の形態】
【００１０】
以下、本発明の一実施の形態を図面に基づいて説明する。本実施の形態では、本発明の表示装置を備えた出力装置であって、放送波を利用してＴＳ（Transport Stream）として配信されるテレビ番組などのコンテンツの音声データ、映像データ、データ放送用データを有するコンテンツデータなどを出力させる構成を例示して説明する。なお、本発明の表示装置としては、ＴＳとして配信される各種情報を表示させる構成に限らず、いずれの情報を表示させる構成が対象となる。図１は、出力装置を示す斜視図である。図２は、出力装置本体の内部構成を示すブロック図である。図３は、サブ表示部の部分拡大図である。図４は、天候が晴れである旨を示す簡易画像の一例を示す模式図である。図５は、天候が曇りである旨を示す簡易画像の一例を示す模式図である。図６は、天候が雨である旨を示す簡易画像の一例を示す模式図である。図７は、ＷチームがＭチームに勝っている状態を示す簡易画像の一例を示す模式図である。図８は、交通状態が順調状態である旨を示す簡易画像の一例を示す模式図である。図９は、交通状態が混雑状態である旨を示す簡易画像の一例を示す模式図である。図１０は、交通状態が渋滞状態である旨を示す簡易画像の一例を示す模式図である。図１１は、株価が上昇状態である旨を示す簡易画像の一例を示す模式図である。図１２は、株価が下降状態である旨を示す簡易画像の一例を示す模式図である。図１３は、株の買い状態である旨を示す簡易画像の一例を示す模式図である。
【００１１】
〔出力装置の構成〕
図１において、１００は出力装置である。この出力装置１００は、ＴＳとして配信される音声データ、画像データとしての映像データ、データ放送用データを適宜取得して出力する処理をする。また、出力装置１００は、データ放送用データで示される各種状態に対応する後述する簡易的な画像である簡易画像や簡易的な音である簡易音を適宜出力させる。そして、出力装置１００は、出力装置本体２００と、図示しない保護部材と、などを備えている。
【００１２】
出力装置本体２００は、筐体としてのケース体２１０を有している。このケース体２１０は、例えばＡＢＳ（Acrylonitrile-butadiene-styrene）などの合成樹脂や金属などにて略薄型箱状に形成されている。そして、ケース体２１０は、正面が開口された略薄型箱状のケース本体部２１１と、このケース本体部２１１の正面の外縁近傍部分を閉塞する断面略コ字状かつ正面略ロ字状の正面部２１２と、を備えている。正面部２１２は、断面略コ字状の開口面が正面を向く状態でケース本体部２１１に取り付けられている。この正面部２１２の断面略コ字状の内部空間は、ＬＥＤ（Light Emitting Diode）配設部２１２Ａとされている。また、正面部２１２の正面略ロ字状の内部空間は、表示窓２１２Ｂとされている。そして、出力装置本体２００のケース体２１０内には、図２に示すように、画像データ取得手段および状態関連情報取得手段としても機能するＴＳ受信部２２０と、第１の表示手段としてのメイン表示部２３０と、第２の表示手段としてのサブ表示部２４０と、音出力手段としての音声出力部２５０と、入力部２６０と、簡易画像情報記憶手段としても機能する簡易報知用情報記憶手段２７０と、メモリ２８０と、処理部２９０と、などが配設されている。
【００１３】
ＴＳ受信部２２０には、例えば地上波デジタル放送や衛星デジタル放送などの放送波を受信する図示しないＴＳアンテナが接続されている。このＴＳ受信部２２０は、処理部２９０の制御により、ＴＳアンテナからデジタル信号として送信される例えば複数のＴＳから、利用者により選択されたチャンネルに対応するＴＳを取得する。そして、取得したＴＳを処理部２９０にＴＳ信号として出力する。
【００１４】
ここで、ＴＳとして配信されるデータ放送用データは、番組連動データおよび番組非連動データのうちのいずれか一方である。番組連動データは、コンテンツの特定の場面に連動する各種情報を、この場面と同期してメイン表示部２３０で出力させるためのデータである。この番組連動データとしては、例えば特定の場面の出演者や、特定の場面で紹介されている店舗や建造物、あるいは、コンテンツ中の特定の企画などに関する情報などを出力させるためのデータが例示できる。そして、番組連動データは、連動ＢＭＬ（Broadcast Markup Language）ファイルなどを備えている。この連動ＢＭＬファイルは、状態関連情報としての連動テキストデータと、連動付加データと、などを備えている。ここで、連動ＢＭＬファイルは、連動付加データを備えない構成となる場合もある。連動付加データは、コンテンツの特定の場面に連動する文字以外の情報、例えば画像や音声を出力させるためのデータである。連動テキストデータは、ＢＭＬで記載されたデータである。そして、連動テキストデータは、内容データと、同期情報と、などを備えている。内容データは、コンテンツの特定の場面の内容を示す文字を出力させるためのデータである。同期情報は、内容データや連動付加データと、コンテンツの特定の場面に対応するコンテンツメインデータと、の出力を同期させるための情報である。具体的には、同期情報は、この連動ＢＭＬファイルが有する各データの出力が開始される日時に関する連動データ出力開始情報と、これら各データが出力されている時間に関する連動データ出力時間情報と、を備えている。
【００１５】
番組非連動データは、コンテンツメインデータにより出力されるコンテンツに連動しない各種情報をメイン表示部２３０に出力させるためのデータである。この番組非連動データとしては、例えば天気予報やニュースを出力させるためのデータが例示できる。この番組非連動データは、非連動ＢＭＬファイルなどを備えている。そして、非連動ＢＭＬファイルは、状態関連情報としての非連動テキストデータと、非連動付加データと、などを備えている。非連動テキストデータは、ＢＭＬで記載されたデータである。この非連動テキストデータは、コンテンツに連動しない内容を示す文字を出力させるためのデータである。非連動付加データは、非連動テキストデータにて示される内容に関連する例えば画像や音声を出力させるためのデータである。
【００１６】
メイン表示部２３０は、処理部２９０にて制御され処理部２９０から出力される映像データやデータ放送用データを画面表示する図１に示すような第１の表示領域としての略長方形状の表示面２３１を有している。そして、メイン表示部２３０は、表示面２３１がケース体２１０の表示窓２１２Ｂに臨んでケース体２１０内に配設されている。このメイン表示部２３０としては、例えば液晶表示パネルや有機ＥＬ（Electro Luminescence）パネル、ＰＤＰ（Plasma Display Panel）、ＣＲＴ（Cathode-Ray Tube）、ＦＥＤ（Field Emission Display）、電気泳動ディスプレイパネルなどが例示できる。
【００１７】
サブ表示部２４０は、処理部２９０にて制御され、後述する簡易報知用情報などに基づいて、データ放送用データの内容を表す簡易的な画像である簡易画像を適宜表示する。そして、サブ表示部２４０は、ここでは図示されないが正面部２１２の周縁方向に沿って、かつ、図３に示すようにＬＥＤ配設部２１２Ａにおける正面部２１２の内縁近傍から外縁近傍にかけて等間隔に配設されたｎ個（ｎは１ないし３ｋ（ｋは自然数）の自然数）のＬＥＤ群２４１ｎを備えている。ＬＥＤ群２４１１，２４１４，…，２４１（３ｋ−２）は、正面部２１２の周縁方向に所定間隔で配設された複数の発光手段としての緑色発光手段である緑色ＬＥＤ２４２を備えている。ＬＥＤ群２４１２，２４１５，…，２４１（３ｋ−１）は、正面部２１２の周縁方向に例えば緑色ＬＥＤ２４２の間隔と略同一間隔で配設された複数の発光手段としての赤色発光手段である赤色ＬＥＤ２４３を備えている。これら赤色ＬＥＤ２４３は、隣接する２つの緑色ＬＥＤ２４２の略中央に対応する位置に配設されている。ＬＥＤ群２４１３，２４１６，…，２４１（３ｋ）は、正面部２１２の周縁方向に例えば緑色ＬＥＤ２４２の間隔と略同一間隔で配設された複数の発光手段としての青色発光手段である青色ＬＥＤ２４４を備えている。これら青色ＬＥＤ２４４は、隣接する２つの赤色ＬＥＤ２４３の略中央に対応する位置に配設されている。また、青色ＬＥＤ２４４は、隣接する２つの緑色ＬＥＤ２４２の略中央に対応する位置に配設されている。なお、ＬＥＤ配設部２１２Ａに配設された各ＬＥＤ２４２，２４３，２４４にて、本発明の第２の表示領域が構成されている。また、各ＬＥＤ２４２，２４３，２４４の配設構成については、上述した構成に限られない。
【００１８】
音声出力部２５０は、例えば図示しないスピーカなどの発音手段を有している。この音声出力部２５０は、処理部２９０から送信される音声データやデータ放送用データを発音手段から音声として出力させる処理をする。また、音声出力部２５０は、簡易報知用情報の後述する簡易音情報に基づいて、例えばデータ放送用データの内容を表す簡易的な音である簡易音を発音手段から出力させる処理をする。
【００１９】
入力部２６０は、出力装置本体２００から着脱可能に設けられた図示しないリモートコントローラ（以下、リモコンと称す）と、ケース体２１０の正面下部などに設けられた図示しない検出窓に臨んで配設された図示しないリモコン受光部と、などを備えている。リモコンは、図示しない、操作手段と、信号生成手段と、などを備えている。操作手段は、図示しないリモコンケースの例えば正面に臨んで入力操作可能に配設された図示しない各種操作ボタンや操作つまみなどを有している。この操作ボタンや操作つまみの入力操作の内容としては、例えば出力装置１００の動作内容の設定などの設定事項である。具体的には、ＴＳ受信部２２０で受信するＴＳの設定、サブ表示部２４０に簡易画像を表示させたり音声出力部２５０から簡易音を出力させるモードである簡易報知モードの設定などが例示できる。信号生成手段は、入力操作に対応した操作信号を適宜生成する。そして、この操作信号を赤外線を利用してリモコン受光部へ出力する。リモコン受光部は、リモコンからの赤外線を受光する。そして、この赤外線の操作信号を処理部２９０へ出力して、各種事項を設定させる。なお、入力部２６０としては、例えばメイン表示部２３０に設けられたタッチパネルによる入力操作や、音声による入力操作など、各種設定事項を設定入力可能ないずれの構成が例示できる。また、入力部２６０としては、ケース体２１０の正面下部に臨んで入力操作可能に配設された図示しない各種操作ボタンや操作つまみなどを設ける。そして、これらの入力操作に対応する操作信号を処理部２９０へ出力して、各種事項を設定させる構成などとしてもよい。
【００２０】
簡易報知用情報記憶手段２７０は、図示しない簡易報知用リスト情報などを格納、すなわち読み出し可能に記憶する。この簡易報知用情報記憶手段２７０としては、ＨＤ（Hard Disk）などの磁気ディスク、ＤＶＤ（Digital Versatile Disc）などの光ディスク、メモリカードなど、各種記録媒体に読み出し可能に記憶するドライブやドライバなどが例示できる。
【００２１】
簡易報知用リスト情報は、少なくとも１つの簡易報知用情報が１つのデータ構造として関連付けられて構成されている。そして、この簡易報知用情報は、ジャンル情報と、状態情報と、簡易画像情報と、簡易音情報と、が１つのデータ構造として構成されたテーブル構造である。ジャンル情報は、簡易報知モード時に出力させる簡易画像や簡易音のジャンル名を示す情報である。具体的には、ジャンル情報は、例えば天候、野球やサッカーなどのスポーツ、交通、株価などのジャンルを示す情報である。状態情報は、ジャンル情報のジャンルにおける各種状態を示す情報である。具体的には、状態情報は、例えば晴れや曇りや雨あるいは雪の状態、スポーツチームのＷチームが勝っている状態や負けている状態、渋滞状態や混雑状態あるいは順調状態、株価の上昇状態や下降状態あるいは株の買い状態などの各種状態を示す情報である。簡易画像情報は、状態情報の状態に対応する簡易画像を所定の明度、色相、彩度、表示の大きさ、表示の位置などでサブ表示部２４０に表示させるための情報である。例えば天候が晴れの状態情報に対応する簡易画像情報は、晴れの状態を示す簡易画像を表示させるための情報である。簡易音情報は、状態情報の状態に対応する簡易音を音声出力部２５０から出力させるための情報である。例えば天候が晴れの状態情報に対応する簡易音情報は、晴れの状態を連想させる例えば明るいイメージの簡易音を出力させるための情報である。
【００２２】
メモリ２８０は、出力装置１００全体を動作制御するＯＳ（Operating System）上に展開される各種プログラムなどを適宜読み出し可能に記憶している。このメモリ２８０としては、例えば停電などにより突然電源が落ちた際にも記憶が保持される構成のメモリ、例えばＣＭＯＳ（Complementary Metal-Oxide Semiconductor）メモリなどを用いることが望ましい。なお、メモリ２８０としては、ＨＤ、ＤＶＤ、光ディスクなどの記録媒体に読み出し可能に記憶するドライブやドライバなどを備えた構成としてもよい。
【００２３】
処理部２９０は、図示しない各種入出力ポート、例えばＴＳ受信部２２０が接続されるＴＳ受信ポート、メイン表示部２３０が接続されるメイン表示ポート、サブ表示部２４０が接続されるサブ表示ポート、音声出力部２５０が接続される音声ポート、入力部２６０が接続される入力ポート、簡易報知用情報記憶手段２７０が接続される記憶ポート、メモリ２８０が接続されるメモリポート、などを有する。そして、処理部２９０は、各種プログラムとして、図２に示すように、ＴＳ処理手段２９１と、パケット復調手段２９２と、状態解析手段２９３と、表示制御手段および音出力制御手段としての出力制御手段２９４と、などを備えている。なお、ケース体２１０と、ＴＳ受信部２２０と、メイン表示部２３０と、サブ表示部２４０と、簡易報知用情報記憶手段２７０と、出力制御手段２９４と、にて、本発明の表示装置が構成されている。また、本発明の表示装置としては、ケース体２１０および簡易報知用情報記憶手段２７０のうちの少なくともいずれか１つを備えない構成などとしてもよい。
【００２４】
ＴＳ処理手段２９１は、ＴＳ受信部２２０で取得したＴＳから利用者により選択されたチャンネルに対応するＴＳパケットを分離して、パケット復調手段２９２へ適宜出力する。具体的には、ＴＳ処理手段２９１は、ＴＳ受信部２２０からＴＳ信号として出力されるＴＳを取得する。さらに、このＴＳから利用者により選択されたチャンネルに対応する音声データが組み込まれたＴＳパケット（以下、音声パケットと称す）と、映像データが組み込まれたＴＳパケット（以下、映像パケットと称す）と、データ放送用データまたはＥＰＧデータなどが組み込まれたＴＳパケット（以下、データパケットと称す）と、を分離する。そして、ＴＳ処理手段２９１は、これら分離した各パケットをパケット復調手段２９２へ適宜出力する。
【００２５】
パケット復調手段２９２は、ＴＳ処理手段２９１からの各パケットをコンテンツデータに適宜復調する。具体的には、パケット復調手段２９２は、ＴＳ処理手段２９１から音声パケットを取得すると、この音声パケットに組み込まれた音声データを復調する。また、ＴＳ処理手段２９１から映像パケットやデータパケットを取得すると、各パケットに組み込まれた映像データやデータ放送用データあるいはＥＰＧデータを復調する。そして、これら復調した各データを出力制御手段２９４へ適宜出力する。さらに、復調したデータ放送用データを状態解析手段２９３へ適宜出力する。
【００２６】
状態解析手段２９３は、パケット復調手段２９２からのデータ放送用データにて示される例えば天候やスポーツの試合などの各種状態を認識する。そして、この認識した各種状態に関する各種情報を適宜生成して、出力制御手段２９４へ出力する。具体的には、状態解析手段２９３は、入力部２６０における入力操作に基づく操作信号により、特定のジャンルが選択された旨を認識すると、この選択されたジャンルに関する選択ジャンル情報を適宜生成する。また、入力部２６０における入力操作に基づく操作信号により、特定の地点やチームあるいは企業などが選択された旨を認識する。さらに、データ放送用データが有する連動ＢＭＬファイルの連動テキストデータや、非連動ＢＭＬファイルの非連動テキストデータを適宜取得する。そして、この取得した連動テキストデータや非連動テキストデータに、利用者により選択されたジャンルおよび地点などにおける各種状態を示す文字列が含まれていることを認識すると、この文字列で示される状態に関する認識状態情報を適宜生成する。そして、状態解析手段２９３は、選択ジャンル情報および認識状態情報を出力制御手段２９４へ出力する。
【００２７】
例えば、状態解析手段２９３は、利用者により特定の地点の天候が選択された場合、例えば非連動テキストデータに特定の地点の天候が晴れである旨を示す文字列が含まれていることを認識すると、選択されたジャンルが天候である旨の選択ジャンル情報と、天候が晴れである旨の認識状態情報と、を適宜生成して出力制御手段２９４へ出力する。また、状態解析手段２９３は、特定のチームの試合が選択された場合、例えば非連動テキストデータに特定のチームが勝っている旨を示す文字列が含まれていることを認識すると、選択されたジャンルがスポーツである旨の選択ジャンル情報と、特定のチームが勝っている旨の認識状態情報と、を適宜生成して出力する。さらに、状態解析手段２９３は、特定の地点の交通が選択された場合、例えば非連動テキストデータに特定の地点が混雑している旨を示す文字列が含まれていることを認識すると、選択されたジャンルが交通である旨の選択ジャンル情報と、混雑している旨の認識状態情報と、を適宜生成して出力する。また、状態解析手段２９３は、特定の企業の株価が選択された場合、例えば非連動テキストデータに特定の企業の株価が上昇状態である旨を示す文字列が含まれていることを認識すると、選択されたジャンルが株価である旨の選択ジャンル情報と、株価が上昇状態である旨の認識状態情報と、を適宜生成して出力する。
【００２８】
出力制御手段２９４は、入力部２６０における入力操作に基づく操作信号により、コンテンツデータを出力させるモードであるコンテンツモードである旨を認識すると、コンテンツデータをメイン表示部２３０に適宜表示させたり、音声出力部２５０で適宜出力させる処理をする。具体的には、出力制御手段２９４は、コンテンツモードである旨を認識すると、ＴＳ受信部２２０、ＴＳ処理手段２９１、パケット復調手段２９２などの動作を適宜制御して、利用者により選択されたチャンネルのコンテンツデータを取得する。そして、このコンテンツデータの映像データやデータ放送用データをメイン表示部２３０で適宜表示させるとともに、音声データを音声出力部２５０から適宜出力させる。
【００２９】
また、出力制御手段２９４は、コンテンツモードに設定された状態や、コンテンツモードが解除されコンテンツデータが出力されていない状態において、入力部２６０における入力操作に基づく操作信号により、簡易報知モードである旨を認識すると、サブ表示部２４０で簡易画像を表示させたり、音声出力部２５０から簡易音を出力させる制御をする。具体的には、出力制御手段２９４は、簡易報知モードである旨を認識すると、ＴＳ受信部２２０、ＴＳ処理手段２９１、パケット復調手段２９２などの動作を適宜制御して、利用者により選択されたチャンネルのデータ放送用データを状態解析手段２９３へ出力させる。そして、状態解析手段２９３から選択ジャンル情報および認識状態情報を取得すると、簡易報知用情報記憶手段２７０から、選択ジャンル情報のジャンルに対応するジャンル情報および認識状態情報の状態に対応する状態情報を有する簡易報知用情報を検索して取得する。さらに、出力制御手段２９４は、この簡易報知用情報の簡易画像情報に基づいて、各ＬＥＤ２４２，２４３，２４４の点灯状況を制御して、サブ表示部２４０に所定の表示形態の簡易画像を表示させる。また、この簡易報知用情報の簡易音情報に基づいて、音声出力部２５０から簡易音を出力させる。
【００３０】
具体的には、出力制御手段２９４は、状態解析手段２９３からの各種情報に基づいて、ジャンルが天候でありかつ状態が晴れである旨を認識すると、例えば図４に示すような晴れを連想させる太陽の一部の簡易画像をサブ表示部２４０に表示させるとともに、明るいイメージの簡易音を音声出力部２５０から出力させる。この太陽の簡易画像の表示形態としては、例えば色を赤色や橙色に設定するとともに明度を高く設定する。さらには、簡易画像をゆっくりとした点滅状態で表示させるとともに、太陽の輝きを示す略棒状のマークを表示面２３１の略中央を中心に回転させる構成などが例示できる。そして、明るいイメージの簡易音としては、例えば音階が高い音から構成されたりテンポが速い簡易音などが例示できる。また、出力制御手段２９４は、曇りである旨を認識すると、例えば図５に示すような曇りを連想させる雲の一部の簡易画像を表示させるとともに、まったりとしたイメージの簡易音を出力させる。この雲の簡易画像の表示形態としては、例えば色を白色や空色に設定するとともに明度を晴れのときよりも低く設定し、例えば右方から左方へ移動させる構成などが例示できる。そして、まったりとしたイメージの簡易音としては、例えばテンポが晴れのときよりも遅い簡易音などが例示できる。さらに、出力制御手段２９４は、雨である旨を認識すると、例えば図６に示すような雨を連想させる雨粒の簡易画像を表示させるとともに、暗いイメージの簡易音を出力させる。この雨粒の簡易画像の表示形態としては、例えば色を青色や灰色に設定するとともに明度を曇りのときよりも低く設定し、上方から下方へ移動させる構成などが例示できる。さらには、強い雨の場合には、雨粒の簡易画像を点滅状態で表示させる構成などが例示できる。そして、暗いイメージの簡易音としては、例えば音階が低い音から構成されたりテンポが晴れのときや曇りのときよりも遅い簡易音などが例示できる。
【００３１】
また、出力制御手段２９４は、ジャンルが野球でありかつＷチームがＭチームに勝っている状態である旨を認識すると、例えば図７に示すようなＷチームがＭチームに勝っている旨を連想させる簡易画像を表示させるとともに、例えばＷチームの応援歌の簡易音を出力させる。このＷチームがＭチームに勝っている旨の簡易画像の表示形態としては、例えばＷチームのマークの「Ｗ」をＭチームのマークの「Ｍ」よりも大きく表示させるとともに、各チームのマークの色をチームカラーに設定する。そして、ＷチームのマークをＭチームのマークよりも高い明度で表示させる構成が例示できる。なお、勝っているチームのマークを負けているチームのマークよりも大きく表示させる構成について例示したが、これに限らず例えば勝っているチームのマークをサブ表示部２４０の上部に、負けているチームのマークを下部に表示させる構成など、勝ち負けを連想させるいずれの構成などとしてもよい。さらには、例えば安打や本塁打を放ったチームのマークを点滅させたり、イニング数に応じてマークを例えば右方から左方へ移動させる構成など、試合の進行状況を反映した表示形態などとしてもよい。
【００３２】
さらに、出力制御手段２９４は、ジャンルが交通でありかつ順調状態である旨を認識すると、例えば図８に示すような順調である旨を連想させる例えば６個の車両の簡易画像を表示させるとともに、例えば風切り音の簡易音を出力させる。この順調である旨を連想させる簡易画像の表示形態としては、例えば色を青色に設定するとともに明度を高く設定し、例えば右方から左方へ移動させる構成などが例示できる。また、出力制御手段２９４は、混雑状態である旨を認識すると、例えば図９に示すような混雑である旨を連想させる例えば１２個の車両の簡易画像を表示させるとともに、例えば「ブー」のクラクションの簡易音を出力させる。この混雑である旨を連想させる簡易画像の表示形態としては、例えば色を緑色に設定するとともに明度を順調時よりも低く設定し、例えば右方から左方へ順調時よりも遅く移動させる構成などが例示できる。さらに、出力制御手段２９４は、渋滞状態である旨を認識すると、例えば図１０に示すような渋滞である旨を連想させる例えば２４個の車両の簡易画像を表示させるとともに、例えば「ブーブーブー」のクラクションの簡易音を出力させる。この渋滞である旨を連想させる簡易画像の表示形態としては、例えば色を橙色に設定するとともに明度を混雑時よりも低く設定し、例えば右方から左方へ混雑時よりも遅く移動させる構成などが例示できる。
【００３３】
また、出力制御手段２９４は、ジャンルが株価でありかつ上昇状態である旨を認識すると、例えば図１１に示すような右肩上がりのグラフを連想させる簡易画像を表示させるとともに、例えば上り調子の簡易音を出力させる。このグラフの簡易画像の表示形態としては、例えば色を青色に設定するとともに明度を所定の状態に設定し、例えば左方から右方へ移動させる構成などが例示できる。そして、上り調子の簡易音としては、例えば音階が順次上がる音により構成されたりテンポが速い簡易音などが例示できる。また、出力制御手段２９４は、株価が下降状態である旨を認識すると、例えば図１２に示すような右肩下がりのグラフを連想させる簡易画像を表示させるとともに、例えば下り調子の簡易音を出力させる。このグラフの簡易画像の表示形態としては、例えば色を赤色に設定するとともに明度を上昇状態時よりも低く設定し、例えば右方から左方へ移動させる構成などが例示できる。そして、下り調子の簡易音としては、例えば音階が順次下がる音により構成されたりテンポが遅い簡易音などが例示できる。さらに、出力制御手段２９４は、株の買い状態である旨を認識すると、例えば図１３に示すような買い状態である旨を連想させる星形のマークの一部の簡易画像を表示させるとともに、例えば「ピンポーン」の簡易音を出力させる。このマークの簡易画像の表示形態としては、例えば色を緑色に設定するとともに明度を上昇状態時よりも高く設定し、例えば点滅させる構成などが例示できる。
【００３４】
なお、簡易画像や簡易音の構成については、上述した各構成に限らず適宜他の構成などとしてもよい。簡易画像の他の構成としては、例えば晴れを表す簡易画像を太陽の一部の画像ではなく無地の赤色の画像とする構成が例示できる。さらに、出力制御手段２９４にて、上述した各ジャンルあるいは各状態以外のジャンルや状態に対応する簡易画像や簡易音を出力させる構成などとしてもよい。
【００３５】
保護部材は、例えば透光性を有した硬質ガラスや硬質合成樹脂などにて略薄板状に形成された透明部材である。そして、この保護部材は、出力装置本体２００のケース体２１０の正面を覆う状態に積層されて一体的に設けられている。この保護部材は、例えば接着剤などにより出力装置本体２００に取り付けられる構成とすることが好ましい。
【００３６】
〔出力装置の動作〕
次に、出力装置１００の動作として、簡易報知モード時の動作について説明する。
【００３７】
まず、利用者は、出力装置１００にコンテンツデータを出力させている状態、または、出力させていない状態において、入力部２６０の入力操作により、簡易報知モードに設定する旨、特定のジャンルを選択する旨、特定の地点やチームあるいは企業などを選択する旨の設定入力をする。出力装置１００は、処理部２９０の出力制御手段２９４にて、簡易報知モードに設定された旨を認識すると、ＴＳ受信部２２０、ＴＳ処理手段２９１、パケット復調手段２９２などの動作を適宜制御して、例えば予め設定されたチャンネルのデータ放送用データを状態解析手段２９３へ出力させる。状態解析手段２９３は、利用者により選択されたジャンルを認識すると、このジャンルに関する選択ジャンル情報を適宜生成する。さらに、状態解析手段２９３は、パケット復調手段２９２からデータ放送用データを取得して、このデータ放送用データに利用者により選択されたジャンルおよび特定の地点などにおける各種状態を示す文字列が含まれているか否かを判断する。そして、各種状態を示す文字列が含まれていると判断すると、この状態に関する認識状態情報を適宜生成する。この後、状態解析手段２９３は、選択ジャンル情報および認識状態情報を出力制御手段２９４へ出力する。
【００３８】
出力制御手段２９４は、選択ジャンル情報および認識状態情報を取得すると、選択ジャンル情報のジャンルに対応するジャンル情報および認識状態情報の状態に対応する状態情報を有する簡易報知用情報を取得する。そして、出力制御手段２９４は、この簡易報知用情報の簡易画像情報に基づいて、認識状態情報の状態に対応する例えば図４ないし図１３に示すような簡易画像をサブ表示部２４０に表示させる。さらに、簡易報知用情報の簡易音情報に基づいて、認識状態情報の状態に対応する簡易音を音声出力部２５０から出力させる。
【００３９】
〔出力装置の作用効果〕
上述したように、上記実施の形態では、出力装置１００は、略長方形状の表示面２３１を有するメイン表示部２３０と、表示面２３１の外縁に配設された緑色ＬＥＤ２４２、赤色ＬＥＤ２４３および青色ＬＥＤ２４４を有するサブ表示部２４０と、を備えている。そして、出力装置１００は、ＴＳ受信部２２０にてＴＳを取得して処理部２９０へ出力する。この後、処理部２９０は、ＴＳ処理手段２９１にて、ＴＳ受信部２２０からのＴＳから利用者により選択されたチャンネルに対応するＴＳパケットを分離する。さらに、処理部２９０は、パケット復調手段２９２にて、ＴＳ処理手段２９１で分離されたＴＳパケットからデータ放送用データを復調して状態解析手段２９３へ出力する。この後、状態解析手段２９３は、データ放送用データの例えば連動テキストデータに特定の地点の天候が晴れである旨を示す文字列が含まれていることを認識すると、ジャンルが天候である旨の選択ジャンル情報および天候が晴れである旨の認識状態情報を生成して出力制御手段２９４へ出力する。そして、出力制御手段２９４は、選択ジャンル情報および認識状態情報を取得すると、晴れを表す簡易的な例えば図４に示すような簡易画像をサブ表示部２４０で表示させる。
【００４０】
このため、利用者は、サブ表示部２４０に表示された例えば晴れを表す簡易的な簡易画像により、出力装置１００を凝視することなく例えば特定の地点の天候が晴れである旨を容易に認識できる。また、サブ表示部２４０に表示される簡易画像は簡易的な画像なので、利用者は、メイン表示部２３０の視認を阻害されることがない。したがって、出力装置１００は、各種情報を良好に表示できる。
【００４１】
出力装置１００は、ジャンルを示すジャンル情報と、このジャンル情報のジャンルにおける各種状態を示す状態情報と、状態情報の状態を表す簡易画像を表示させるための簡易画像情報と、などを有する簡易報知用情報を簡易報知用情報記憶手段２７０に記憶させている。そして、出力制御手段２９４は、状態解析手段２９３から取得した選択ジャンル情報のジャンルに対応するジャンル情報、および、認識状態情報の状態に対応する状態情報を有する簡易報知用情報を検索して取得する。この後、出力制御手段２９４は、この取得した簡易報知用情報の簡易画像情報に基づいて簡易画像を表示させる。このため、出力制御手段２９４は、簡易報知用情報記憶手段２７０に予め記憶された簡易画像情報に基づいて、簡易画像を表示させることができる。したがって、出力装置１００は、簡易画像を容易に表示させることができる。
【００４２】
出力制御手段２９４は、例えば表示色を緑色に設定した簡易画像で混雑状態である旨を表示させ、表示色を橙色に設定するとともに明度を混雑時より低く設定した簡易画像で渋滞状態である旨を表示させる。このため、利用者は、例えば出力装置１００から離隔した地点に位置し簡易画像の形状などを認識しにくい状態であっても、例えば形状と比べて認識しやすい表示色や明度の差異により、混雑状態または渋滞状態である旨を容易に認識できる。したがって、出力装置１００は、各種情報をさらに良好に表示できる。
【００４３】
出力制御手段２９４は、例えば野球の試合で勝っているチームのマークを負けているチームのマークよりも大きく表示させる。このため、利用者は、より大きくされるマークにより勝っているチームを容易に認識できる。したがって、出力装置１００は、各種情報をさらに良好に表示できる。
【００４４】
サブ表示部２４０は、複数の緑色ＬＥＤ２４２、赤色ＬＥＤ２４３，青色ＬＥＤ２４４を有している。そして、出力制御手段２９４は、各ＬＥＤ２４２，２４３，２４４を選択的に点灯させることにより簡易画像を表示させる。このため、出力装置１００は、各ＬＥＤ２４２，２４３，２４４を選択的に点灯させるだけの簡単な構成で、様々な簡易画像を表示させることができる。したがって、出力制御手段２９４の構成を簡略化でき、出力装置１００のコストを削減できる。また、フルカラーの中間色を適宜表示させることができ、例えば雨が降りそうな場合に暗い青色に、小雨が降っている場合に水色に、大雨が降っている場合に濃い青色に適宜できる。したがって、簡単な構成で様々な色を表示可能な出力装置１００を提供できる。
【００４５】
本発明の発光手段として、各ＬＥＤ２４２，２４３，２４４を適用している。このため、サブ表示部２４０を安価でかつ長寿命な構成にできる。また、サブ表示部２４０の消費電力を抑えることができる。さらに、簡易画像を長時間表示させたとしても、例えばＣＲＴのようにいわゆる画面の焼き付けが発生することがない。したがって、出力装置１００の利便性を向上できる。
【００４６】
出力制御手段２９４は、各ＬＥＤ２４２，２４３，２４４の点灯状況を制御して、簡易画像の色相および彩度のうちの少なくともいずれか一方を設定する。このため、出力装置１００は、各ＬＥＤ２４２，２４３，２４４の点灯状況を制御するだけの簡単な構成で、様々な表示色で簡易画像を表示できる。したがって、出力制御手段２９４の構成を簡略化でき、出力装置１００のコストをより削減できる。
【００４７】
出力制御手段２９４は、サブ表示部２４０の各ＬＥＤ２４２，２４３，２４４を制御して、メイン表示部２３０の表示面２３１と略同一面に簡易画像を表示させる。このため、利用者は、メイン表示部２３０に表示されるコンテンツの映像データと、サブ表示部２４０に表示される簡易画像と、を略同一位置から適宜同時に視認することができる。したがって、出力装置１００の利便性をより向上できる。
【００４８】
ケース体２１０を構成する正面部２１２の表示窓２１２Ｂから表示面２３１が臨む状態に、メイン表示部２３０を配設している。そして、正面部２１２のＬＥＤ配設部２１２Ａに、サブ表示部２４０を構成する各ＬＥＤ２４２，２４３，２４４を配設している。このため、一般的に従来ある正面部２１２に各ＬＥＤ２４２，２４３，２４４を配設するので、各ＬＥＤ２４２，２４３，２４４を配設するための部材数の増加を最小限に抑えることができる。したがって、出力装置１００の重量化や構成の複雑化を最小限に抑えることができる。
【００４９】
出力制御手段２９４は、ＴＳとして映像データとともに配信される連動テキストデータや非連動テキストデータで示される各種状態の簡易画像を、サブ表示部２４０で表示させる。このため、利用者は、地上波デジタル放送や衛星デジタル放送のデータ放送で示される各種状態を容易に認識できる。したがって、出力装置１００の利便性をさらに向上できる。
【００５０】
出力制御手段２９４は、コンテンツの映像データに連動する連動テキストデータで示される各種状態の簡易画像を、サブ表示部２４０で表示させる。このため、利用者は、メイン表示部２３０で映像データを表示させなくても、サブ表示部２４０の簡易画像により映像データで示されている各種状態を認識できる。例えば、利用者は、メイン表示部２３０で野球の試合を表示させなくても、この試合の状態をサブ表示部２４０の簡易画像により認識できる。したがって、出力装置１００は、各種状態を利用者に認識させるための消費電力を最小限に抑えることができる。
【００５１】
出力制御手段２９４は、コンテンツの特定の場面に連動しない非連動テキストデータで示される各種状態の簡易画像を、サブ表示部２４０で表示させる。このため、利用者は、メイン表示部２３０で表示される映像データおよびサブ表示部２４０で表示される簡易画像により、互いに異なる各種状態を同時に認識できる。例えば、利用者は、メイン表示部２３０で歌謡番組を見ながら、サブ表示部２４０でスポーツの試合の状態を認識できる。したがって、出力装置１００の利便性をさらに向上できる。
【００５２】
出力制御手段２９４は、各種状態を表現しやすい天候、スポーツの試合、交通、株価の状態を表す簡易画像を適宜表示させる。このため、簡易画像の構成を簡略化できる。したがって、出力装置１００は、簡易画像を容易に表示させることができる。また、出力装置１００は、一般的に情報の取得欲求が高い天候やスポーツの試合あるいは交通の状態を利用者に容易に認識させることができる。したがって、出力装置１００の利便性をより向上できる。
【００５３】
出力制御手段２９４は、例えば晴れの状態を表す簡易的な簡易音を音声出力部２５０から出力させる。このため、利用者は、出力装置１００から出力される音を注意深く聴取することなく例えば天候が晴れである旨を認識できる。また、利用者は、視覚に加え聴覚でも例えば天候が晴れである旨を認識できる。したがって、出力装置１００の利便性を向上できる。
【００５４】
［実施の形態の変形］
なお、本発明は、上述した一実施の形態に限定されるものではなく、本発明の目的を達成できる範囲で以下に示される変形をも含むものである。
【００５５】
出力制御手段２９４にて、簡易画像情報に基づいて簡易画像を表示させる構成について例示したが、これに限らず例えば以下のような構成などとしてもよい。すなわち、出力制御手段２９４に、状態解析手段２９３で認識した状態に基づいて、簡易画像を生成して表示させる機能を設けた構成などとしてもよい。このような構成にすれば、簡易報知用情報記憶手段２７０を設ける必要がなくなる。したがって、出力装置１００のコストの低減や軽量化を図ることができる。
【００５６】
出力制御手段２９４にて、状態解析手段２９３で認識した状態の内容に応じた明度、色相、彩度、表示の大きさ、表示の数の簡易画像を表示させる構成について例示したが、これに限らず例えば以下のような構成などとしてもよい。すなわち、簡易画像の明度、色相、彩度、表示の大きさ、表示の数のうちの少なくともいずれか１つを、状態解析手段２９３で認識した状態の内容に応じた形態にしない構成などとしてもよい。このような構成にすれば、簡易画像情報の情報量を減らすことができる。したがって、出力制御手段２９４による簡易画像の表示形態認識時の処理負荷を減らすことができる。
【００５７】
本発明の第２の表示手段として、複数の緑色ＬＥＤ２４２、赤色ＬＥＤ２４３，青色ＬＥＤ２４４を備えたサブ表示部２４０を適用した構成について例示したが、これに限らず例えば図１４に示すような構成などとしてもよい。すなわち、正面部２１２および各ＬＥＤ２４２，２４３，２４４の代わりに、略薄型箱状の４枚の液晶パネル３００を本発明の第２の表示手段として適用し、これら液晶パネル３００を表示面２３１の外縁に隣接する状態に配設する。そして、液晶パネル３００の第２の表示領域としての表示面３０１に簡易画像を表示させる構成などとしてもよい。このような構成にすれば、出力装置１００は、各ＬＥＤ２４２，２４３，２４４を用いた構成と比べて簡易画像をより鮮明に表示させることができ、各種情報をより良好に表示できる。
【００５８】
例えば図１５に示すように、正面部２１２および各ＬＥＤ２４２，２４３，２４４の代わりに、正面部２１２と略同一形状の有機ＥＬパネル４００を本発明の第２の表示手段として適用する。そして、この有機ＥＬパネル４００の第２の表示領域としての表示面４０１に簡易画像を表示させる構成などとしてもよい。このような構成にすれば、液晶パネル３００のようにバックライトを必要としない有機ＥＬパネル４００を利用するので、出力装置１００の低消費電力化や薄型化を適宜図ることができる。
【００５９】
正面略ロ字状の正面部２１２に配設された各ＬＥＤ２４２，２４３，２４４を有するサブ表示部２４０の代わりに、例えば図１６に示すように、表示面２３１の上端縁および下端縁にそれぞれ隣接された第２の表示手段としてのサブ表示部５００を設ける構成などとしてもよい。このサブ表示部５００は、正面が開口された略薄型箱状の正面部５１０の内部空間をＬＥＤ配設部５１０Ａとして、このＬＥＤ配設部５１０Ａに各ＬＥＤ２４２，２４３，２４４を配設することにより構成される。また、例えば図１７に示すように、表示面２３１の右端縁および左端縁にそれぞれ隣接された第２の表示手段としてのサブ表示部６００を設ける構成などとしてもよい。このサブ表示部６００は、正面が開口された略薄型箱状の正面部６１０の内部空間をＬＥＤ配設部６１０Ａとして、このＬＥＤ配設部６１０Ａに各ＬＥＤ２４２，２４３，２４４を配設することにより構成される。これらのような構成にすれば、上記実施の形態の構成と比べて、各ＬＥＤ２４２，２４３，２４４の量を減らすことができる。したがって、低消費電力化や軽量化を適宜図ることができる。
【００６０】
各ＬＥＤ２４２，２４３，２４４の代わりに、１個で複数の色を発光可能ないわゆるマルチカラーＬＥＤを用いる構成などとしてもよい。このような構成にすれば、各ＬＥＤ２４２，２４３，２４４の点灯状況により色相や彩度を設定する上記実施の形態の構成と比べて、簡易画像をより鮮明に表示させることができる。したがって、出力装置１００は、各種情報をさらに良好に表示できる。
【００６１】
サブ表示部２４０の各ＬＥＤ２４２，２４３，２４４をメイン表示部２３０の表示面２３１と略同一面に配設した構成について例示したが、これに限らず例えば表示面２３１と略直交するケース体２１０の側面部に設けた構成などとしてもよい。このような構成にしても、利用者は、簡易画像により各種状態を容易に認識できる。したがって、出力装置１００は、各種情報を良好に表示できる。
【００６２】
出力制御手段２９４に、天候、スポーツの試合、交通、株価の状態の簡易画像を表示させる機能を設けた構成について例示したが、これらのうちの少なくともいずれか１つの簡易画像を表示させない構成などとしてもよい。このような構成にすれば、状態解析手段２９３および出力制御手段２９４の構成を簡略化できる。また、簡易報知用リスト情報の情報量を減らすことができ、簡易報知用情報記憶手段２７０の容量を小さくできる。したがって、出力装置１００のコストをより低減できる。
【００６３】
出力制御手段２９４に、簡易音を出力させる制御をする機能を設けた構成について例示したが、このような機能を設けない構成などとしてもよい。このような構成にすれば、出力制御手段２９４の構成を簡略化できる。したがって、出力装置１００のコストをさらに低減できる。
【００６４】
サブ表示部２４０に、複数のジャンルの状態をそれぞれ表す簡易画像を同時に表示させる構成などとしてもよい。具体的には、例えばサブ表示部２４０おける表示面２３１の上端縁に隣接する部分にスポーツの試合の状態を表す簡易画像を、表示面２３１の下端縁に隣設する部分に交通の状態を表す簡易画像を、同時に表示させる構成などとしてもよい。このような構成にすれば、利用者は、出力装置１００を凝視することなく、複数のジャンルの状態を容易に認識できる。したがって、出力装置１００の利便性をさらに向上できる。
【００６５】
本発明の表示装置を移動体の走行を案内誘導するナビゲーション装置に適用して、例えば以下のような処理をする構成などとしてもよい。すなわち、例えばＶＩＣＳ（Vehicle Information Communication System：道路交通情報通信システム）から交通に関するＶＩＣＳデータを取得して、このＶＩＣＳデータに基づいて特定の地点の交通状態を認識する。そして、この交通状態を表す簡易画像を表示させる構成などとしてもよい。このような構成にすれば、利用者は、ナビゲーション装置を凝視することなく交通状態を認識できる。したがって、ナビゲーション装置の利便性を向上できる。
【００６６】
その他、本発明の実施の際の具体的な構造および手順は、本発明の目的を達成できる範囲で他の構造などに適宜変更できる。
【００６７】
［実施形態の作用効果］
上述したように、上記実施形態では、出力装置１００は、略長方形状の表示面２３１を有するメイン表示部２３０と、表示面２３１の外縁に配設された緑色ＬＥＤ２４２、赤色ＬＥＤ２４３および青色ＬＥＤ２４４を有するサブ表示部２４０と、を備えている。そして、出力装置１００は、ＴＳ受信部２２０にてＴＳを取得して処理部２９０へ出力する。この後、処理部２９０は、出力制御手段２９４にて、ＴＳ受信部２２０からのＴＳに含まれる例えば特定の地点の天候が晴れである旨の連動テキストデータに基づいて、晴れを表す簡易的な例えば図４に示すような簡易画像をサブ表示部２４０で表示させる。
【００６８】
このため、利用者は、サブ表示部２４０に表示された例えば晴れを表す簡易的な簡易画像により、出力装置１００を凝視することなく例えば特定の地点の天候が晴れである旨を容易に認識できる。したがって、出力装置１００は、各種情報を良好に表示できる。
【図面の簡単な説明】
【００６９】
【図１】本発明の一実施の形態に係る出力装置を示す斜視図である。
【図２】前記一実施の形態における出力装置本体の内部構成を示すブロック図である。
【図３】前記一実施の形態におけるサブ表示部の部分拡大図である。
【図４】前記一実施の形態における天候が晴れである旨を示す簡易画像の一例を示す模式図である。
【図５】前記一実施の形態における天候が曇りである旨を示す簡易画像の一例を示す模式図である。
【図６】前記一実施の形態における天候が雨である旨を示す簡易画像の一例を示す模式図である。
【図７】前記一実施の形態におけるＷチームがＭチームに勝っている状態を示す簡易画像の一例を示す模式図である。
【図８】前記一実施の形態における交通状態が順調状態である旨を示す簡易画像の一例を示す模式図である。
【図９】前記一実施の形態における交通状態が混雑状態である旨を示す簡易画像の一例を示す模式図である。
【図１０】前記一実施の形態における交通状態が渋滞状態である旨を示す簡易画像の一例を示す模式図である。
【図１１】前記一実施の形態における株価が上昇状態である旨を示す簡易画像の一例を示す模式図である。
【図１２】前記一実施の形態における株価が下降状態である旨を示す簡易画像の一例を示す模式図である。
【図１３】前記一実施の形態における株の買い状態である旨を示す簡易画像の一例を示す模式図である。
【図１４】本発明の他の実施の形態に係るサブ表示部の正面図である。
【図１５】本発明のさらに他の実施の形態に係るサブ表示部の正面図である。
【図１６】本発明のさらに他の実施の形態に係るサブ表示部の正面図である。
【図１７】本発明のさらに他の実施の形態に係るサブ表示部の正面図である。
【符号の説明】
【００７０】
１００    出力装置
２１０    表示装置を構成する筐体としてのケース体
２２０    表示装置を構成する、画像データ取得手段および状態関連情報取得手段としても機能するＴＳ受信部
２３０    表示装置を構成する第１の表示手段としてのメイン表示部
２３１    第１の表示領域としての表示面
２４０，５００，６００    表示装置を構成する第２の表示手段としてのサブ表示部
２４２    第２の表示領域を構成する発光手段としての緑色発光手段である緑色ＬＥＤ
２４３    第２の表示領域を構成する発光手段としての赤色発光手段である赤色ＬＥＤ
２４４    第２の表示領域を構成する発光手段としての青色発光手段である青色ＬＥＤ
２５０    音出力手段としての音声出力部
２７０    表示装置を構成する簡易画像情報記憶手段としても機能する簡易報知用情報記憶手段
２９４    表示装置を構成する、表示制御手段および音出力制御手段としての出力制御手段
３００    第２の表示手段としての液晶パネル
３０１，４０１    第２の表示手段としての表示面
４００    第２の表示手段としての有機ＥＬパネル
【図１】
2006023677.tif 000003
【図２】
2006023677.tif 000004
【図３】
2006023677.tif 000005
【図４】
2006023677.tif 000006
【図５】
2006023677.tif 000007
【図６】
2006023677.tif 000008
【図７】
2006023677.tif 000009
【図８】
2006023677.tif 000010
【図９】
2006023677.tif 000011
【図１０】
2006023677.tif 000012
【図１１】
2006023677.tif 000013
【図１２】
2006023677.tif 000014
【図１３】
2006023677.tif 000015
【図１４】
2006023677.tif 000016
【図１５】
2006023677.tif 000017
【図１６】
2006023677.tif 000018
【図１７】
2006023677.tif 000019